【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
呼吸障害を有する患者の治療のための患者インタフェースアセンブリであって、
加圧された呼吸可能なガスの流れが使用時に導入される中央孔を有するフレームと、
前記フレームによって支持されるクッションであって、前記フレームよりも比較的柔らかい材料によって形成されたクッションと、
加圧された呼吸可能なガスの前記流れを前記フレームの前記中央孔に届けるホースと、
前記ホースと前記フレームの間の中間部品であって、スナップ接続を介して前記中央孔に取り外し可能に接続される中間部品と、
柔軟性のある繊維材料によって形成された一対のフロントストラップ部と、前記一対のフロントストラップ部のそれぞれに取り付けられた一対のヨークとを含むヘッドギアアセンブリであって、各々のヨークは対応するフロントストラップ部と同じ概形を有する、ヘッドギアアセンブリと、
を備え、
前記一対のフロントストラップ部のそれぞれは、正面端部において前記フレームに取り付けられ、上端部において前記ヘッドギアアセンブリの別の部分に接続されるコネクタ素子を備え、
各々のフロントストラップ部は、前記フロントストラップ部に剛性を提供する、対応するフロントストラップ部と同じ概形を有するヨークを含み、
各々のヨークは、使用時に患者の生理現象の変化に対応できるように１つの方向においてある程度の柔軟性を有し、
各々のヨークは、重さまたはホースのひきずりによる前記患者インタフェースアセンブリの垂直方向の回転に抗するように、前記１つの方向と略直交する別の方向においてより硬く、
各々のヨークは、前記フレームの横側の各側部に対して後方に突出し、使用時に前記患者の目の下に、前記患者の頬に支えられるように構成された湾曲した形状を有し、
前記一対のフロントストラップ部は、積層構造を形成するために前記一対のヨークと少なくとも部分的に同一の広がりをもち、前記一対のフロントストラップ部は、装着されたときに前記患者の皮膚と前記一対のヨークとの間に位置し、
前記患者インタフェースアセンブリは、顎ストラップを備えておらず、
前記患者インタフェースアセンブリは、額ストラップを備えていない、
患者インタフェースアセンブリ。
【請求項２】
前記一対のヨークは、前記一対のフロントストラップ部の全長に沿って延びる、請求項１に記載の患者インタフェースアセンブリ。
【請求項３】
前記各々のヨークの厚さが、ヨークの外形にわたって変化している、請求項１または２に記載の患者インタフェースアセンブリ。
【請求項４】
前記各々のヨークは、０．３〜２．０ｍｍの範囲の厚さを有する、請求項１から３の何れか一項に記載の患者インタフェースアセンブリ。
【請求項５】
前記各々のヨークは、前記フレームに取り外し可能に接続されるクリップと結びついている、請求項１から４の何れか一項に記載の患者インタフェースアセンブリ。
【請求項６】
前記フレーム、前記クッション、前記中間部品および前記ホースは互いに取り付けられたまま、前記ヘッドギアアセンブリの取り外しを可能にするために、前記ヨークと一体的に形成された接続部材をさらに備える、請求項１から５の何れか一項に記載の患者インタフェースアセンブリ。
【請求項７】
前記中間部品は、前記中間部品の第２端部と接続される第１の端部と、空気供給管に接続するように構成された旋回部を有する第２端部とを有するホースを有する、請求項１から６の何れか一項に記載の患者インタフェースアセンブリ。
【請求項８】
前記スナップ接続を開放して前記ホースの取り外しを可能にするために前記患者の指によってお互いに向かって圧縮できる、一対の解放部をさらに備える、請求項１から７の何れか一項に記載の患者インタフェースアセンブリ。
【請求項９】
前記中間部品は、前記フレームの内側部分にアクセスせずに前記フレームから取り外せるように構成される、請求項１から８の何れか一項に記載の患者インタフェースアセンブリ。
【請求項１０】
前記中間部品と前記フレームとの間の係合により可聴の音が発生される、請求項１から９の何れか一項に記載の患者インタフェースアセンブリ。
【請求項１１】
前記中間部品は、二酸化炭素を流し出すための複数の孔を有するガス流し出しベントをさらに備える、請求項１から１０の何れか一項に記載の患者インタフェースアセンブリ。
【請求項１２】
前記中間部品はエルボーを備える、請求項１から１１の何れか一項に記載の患者インタフェースアセンブリ。
【請求項１３】
前記エルボーは回転可能であり、前記フレームの前記中央孔内に受け入れられるように適合する端部を含む、請求項１２に記載の患者インタフェースアセンブリ。
【請求項１４】
前記クッションは鼻用マスクである、請求項１から１３の何れか一項に記載の患者インタフェースアセンブリ。
【請求項１５】
前記クッションは口―鼻用マスクである、請求項１から１３の何れか一項に記載の患者インタフェースアセンブリ。
【請求項１６】
前記クッションはフルフェイスマスクである、請求項１から１３の何れか一項に記載の患者インタフェースアセンブリ。
【請求項１７】
前記クッションは、取り外せないように前記フレームに接続される、請求項１から１６の何れか一項に記載の患者インタフェースアセンブリ。
【請求項１８】
患者に加圧された治療ガスを届ける装置であって、
送風機と、
請求項１から１７の何れか一項に記載の患者インタフェースアセンブリと、
前記送風機を前記患者インタフェースアセンブリに接続する排気管と
を備える装置。
【手続補正２】
【補正対象書類名】明細書
【補正対象項目名】０００３
【補正方法】変更
【補正の内容】
【０００３】
OSAの治療のためのnCPAPの応用は、サリバンによって米国特許第4,944,310号において教示されている。この米国特許をここに完全に援用する。OSAのｎCPAP治療では、加圧された空気あるいは他の呼吸可能なガスを大気圧よりも上に上げた圧力、典型的には４〜２０ｃｍＨ２Ｏで患者の気道入口に供給して、患者の上側の気道を押し開いて無呼吸を防ぐ。
【手続補正３】
【補正対象書類名】明細書
【補正対象項目名】００９７
【補正方法】変更
【補正の内容】
【００９７】
他の利点は、患者に対するクッションの角度を封止効率に悪影響を及ぼすことなく変えることができるということである。例えば、クッションを患者の顔の形状に基づいて異なる角度で異なる患者に接触させてもよく、患者が眠っている時の動いている間は顔に対してクッションの角度を動かすことができる。密閉素子（例えば膜２０５）は、大きな実質的に反転した部分（大きな半径）を有しており、患者の顔に対するマスクのある程度の動きあるいは回転を可能にし、膜の遠い側の縁が患者の顔および／または鼻を刺激することを防ぐ。この密閉素子（例えば膜）は、鼻の側部で鼻梁の下側の部分の周りに適合することによって鼻に対してしっかりと密閉する。強固な密閉と膜の緊張／鼻を横切っての引き伸ばしとの間で妥協に達しなければならない。膜に、縁の堅固さなしで最大引き伸ばし距離を可能にするように切り込みを入れることもできる。引き伸ばしは、材料によっても実現され、例えばより柔らかい材料および／あるいはより薄い材料、例えばエラストマー、シリコーン、ポリウレタン、熱可塑性エラストマー、発泡性エラストマーおよび／あるいは混合物によって実現することができる。